(57)【要約】【課題】販売の可否を簡易かつ迅速に決定して補修部品の設定処理を行い、機種の増加に伴って部品群が増加するときも、在庫の増加を招くことがない補修部品の設定処理システムを提供する。【解決手段】完成品を構成する部品群について部品ごとに図面が作成されて物理的な機能面における序列を示す記号群の中から該当する記号が選択された後、部品を特定する図面情報と選択された構成レベル記号Ｌ１，Ｌ２などが入力されたとき、図面情報サーバにおいて図面発行通知書の登録欄の選択された記号に相当する格納棚に図面情報を登録すると共に、そのサーバにアクセスして構成レベル記号に相当する格納棚に登録された図面情報を抽出し（Ｓ１００からＳ１０６，Ｓ１１２からＳ１１６）、それで特定される部品を販売すべき補修部品と決定して設定登録する（Ｓ１０８からＳ１１０，Ｓ１１８からＳ１２２）。【選択図】図５
2005084801.tif 000002
【特許請求の範囲】
【請求項１】
クライアント・サーバ・システムからなり、完成品を構成する部品群について販売の可否を決定して補修部品として設定する補修部品の設定処理システムにおいて、
ａ．前記完成品を構成する部品群のそれぞれについて、部品あるいは部品群の集合体ごとに図面が作成されて物理的な機能面における序列を示す記号群の中から該当する記号が選択された後、前記部品あるいは部品群の集合体を特定する図面情報と前記選択された記号がオペレータによって入力されたとき、図面情報サーバにおいて前記記号群ごとに設けられた格納棚の中、前記選択された記号に相当する格納棚に前記図面情報を登録する図面情報登録手段、
ｂ．前記図面情報サーバにアクセスして前記記号群ごとに設けられた格納棚の中、所定の第１の記号に相当する格納棚に登録された前記図面情報を抽出する図面情報抽出手段、
および
ｃ．前記所定の第１の記号に相当する格納棚から抽出された図面情報で特定される部品あるいは部品群の集合体を販売すべき補修部品と決定して前記サーバに設定登録する補修部品設定登録手段、
を備えたことを特徴とする補修部品の設定処理システム。
【請求項２】
前記図面情報抽出手段は前記図面情報サーバにアクセスして前記記号群ごとに設けられた格納棚の中、所定の第２の記号に相当する格納棚に登録された前記図面情報を抽出すると共に、前記補修部品設定登録手段は前記所定の第２の記号に相当する格納棚から抽出された図面情報で特定される部品あるいは部品群の集合体を販売すべき補修部品ではないと決定して前記サーバに設定登録することを特徴とする請求項１記載の補修部品の設定処理システム。
【請求項３】
前記完成品を構成する部品についての物理的な機能面における序列が、それ自体で予定される機能を奏する部品あるいは部品群の集合体を上位とする一方、それ自体では予定する機能を奏しない部品あるいは部品群の集合体を下位とするものであると共に、前記所定の第１の記号が前記上位を示す記号であり、前記所定の第２の記号が前記下位を示す記号であることを特徴とする請求項１または２記載の補修部品の設定処理システム。
【請求項４】
前記補修部品設定登録手段は、前記所定の第１の記号に相当する格納棚から抽出された図面情報で特定される部品あるいは部品群の集合体が販売条件に該当するか否か判断し、肯定されるとき、前記所定の第１の記号に相当する格納棚から抽出された図面情報で特定される部品あるいは部品群の集合体を販売すべき補修部品と決定して前記サーバに設定登録することを特徴とする請求項１から３のいずれかに記載の補修部品の設定処理システム。
【請求項５】
前記補修部品設定登録手段は、前記所定の第２の記号に相当する格納棚から抽出された図面情報で特定される部品あるいは部品群の集合体が販売条件に該当するか否か判断し、肯定されるとき、前記所定の第２の記号に相当する格納棚から抽出された部品あるいは部品群の集合体であっても、販売すべき補修部品と決定して前記サーバに設定登録することを特徴とする請求項１から４のいずれかに記載の補修部品の設定処理システム。
【発明の詳細な説明】
【技術分野】
【０００１】
この発明は、補修部品の設定処理システムに関する。
【背景技術】
【０００２】
製品（完成品）、例えば自動車は多くの部品群から構成されるが、それら部品群について販売の可否を決定して整備の補修部品として設定する必要がある。
【０００３】
補修部品に関する従来技術としては、例えば、以下の非特許文献１記載のものが知られている。非特許文献１に記載の技術は、補修部品をタイムリーかつ正確に供給するべく、システム構成をバッチ処理に代えて分散処理にすると共に、部品コードを全て自動設定化するなど自動化を拡大することを提案している。
【０００４】
また、補修部品に関するものではないが、製品の設計や製品を構成する部品の調達の便宜を意図して部品の代替品の検索を容易にする技術として、以下の特許文献１記載のものが知られている。特許文献１に記載の技術は、記憶された、部品の分類に関する情報を読み出すと共に、分類の階層に従ってツリー状に表示し、指定された部品または部品組み立て品と同じ分類の部品を一覧表示することを提案している。
【０００５】
【非特許文献１】高橋他著、「新サービス部品技術情報システムの開発」、自動車技術、Ｖｏｌ．４７，Ｎｏ．２，１９９３
【０００６】
【特許文献１】特開２００３−１１４８９９号公報
【発明の開示】
【発明が解決しようとする課題】
【０００７】
しかしながら、非特許文献１および特許文献１に記載の技術の開示は上記に止まり、完成品（製品）を構成する部品群について販売の可否を決定して補修部品として設定処理を行う技術までを開示するものではなかった。
【０００８】
即ち、従来、補修部品の設定は、担当者によって手作業で行われていた。そのため、誤判断や誤設定が発生すると共に、作業効率も望ましいものではなかった。従って、特にユーザの嗜好の多様化に応じて完成品の機種が急増する現状において、部品群の増加は在庫の増加を招いて経済的な損失を来たしていることから、それら部品群について販売の可否を簡易かつ適切に決定して整備の補修部品として設定処理を行うことが早急に望まれている。
【０００９】
従って、この発明は上記した課題を解決し、完成品（製品）を構成する部品群について販売の可否を簡易かつ迅速に決定して補修部品として設定処理を行い、完成品の機種の増加に伴って部品群が増加するときも、在庫の増加を招くことがないようにした補修部品の設定処理システムを提供することを目的とする。
【課題を解決するための手段】
【００１０】
上記の目的を解決するために、この発明は請求項１にあっては、クライアント・サーバ・システムからなり、完成品を構成する部品群について販売の可否を決定して補修部品として設定する補修部品の設定処理システムにおいて、前記完成品を構成する部品群のそれぞれについて、部品あるいは部品群の集合体ごとに図面が作成されて物理的な機能面における序列を示す記号群の中から該当する記号が選択された後、前記部品あるいは部品群の集合体を特定する図面情報と前記選択された記号がオペレータによって入力されたとき、図面情報サーバにおいて前記記号群ごとに設けられた格納棚の中、前記選択された記号に相当する格納棚に前記図面情報を登録する図面情報登録手段、前記図面情報サーバにアクセスして前記記号群ごとに設けられた格納棚の中、所定の第１の記号に相当する格納棚に登録された前記図面情報を抽出する図面情報抽出手段、および前記所定の第１の記号に相当する格納棚から抽出された図面情報で特定される部品あるいは部品群の集合体を販売すべき補修部品と決定して前記サーバに設定登録する補修部品設定登録手段を備える如く構成した。
【００１１】
請求項２に係る補修部品の設定処理システムにあっては、前記図面情報抽出手段は前記図面情報サーバにアクセスして前記記号群ごとに設けられた格納棚の中、所定の第２の記号に相当する格納棚に登録された前記図面情報を抽出すると共に、前記補修部品設定登録手段は前記所定の第２の記号に相当する格納棚から抽出された図面情報で特定される部品あるいは部品群の集合体を販売すべき補修部品ではないと決定して前記サーバに設定登録する如く構成した。
【００１２】
請求項３に係る補修部品の設定処理システムにあっては、前記完成品を構成する部品についての物理的な機能面における序列が、それ自体で予定される機能を奏する部品あるいは部品群の集合体を上位とする一方、それ自体では予定する機能を奏しない部品あるいは部品群の集合体を下位とするものであると共に、前記所定の第１の記号が前記上位を示す記号であり、前記所定の第２の記号が前記下位を示す記号である如く構成した。
【００１３】
請求項４に係る補修部品の設定処理システムにあっては、前記補修部品設定登録手段は、前記所定の第１の記号に相当する格納棚から抽出された図面情報で特定される部品あるいは部品群の集合体が販売条件に該当するか否か判断し、肯定されるとき、前記所定の第１の記号に相当する格納棚から抽出された図面情報で特定される部品あるいは部品群の集合体を販売すべき補修部品と決定して前記サーバに設定登録する如く構成した。
【００１４】
請求項５に係る補修部品の設定処理システムにあっては、前記補修部品設定登録手段は、前記所定の第２の記号に相当する格納棚から抽出された図面情報で特定される部品あるいは部品群の集合体が販売条件に該当するか否か判断し、肯定されるとき、前記所定の第２の記号に相当する格納棚から抽出された部品あるいは部品群の集合体であっても、販売すべき補修部品と決定して前記サーバに設定登録する如く構成した。
【発明の効果】
【００１５】
請求項１に係る補修部品の設定処理システムにあっては、完成品を構成する部品群のそれぞれについて、部品あるいは部品群の集合体ごとに図面が作成されて物理的な機能面における序列を示す記号群の中から該当する記号が選択された後、部品あるいは部品群の集合体を特定する図面情報と選択された記号がオペレータによって入力されたとき、図面情報サーバにおいて記号群ごとに設けられた格納棚の中、選択された記号に相当する格納棚に入力された図面情報を登録し、その図面情報サーバにアクセスして格納棚の中、所定の第１の記号に相当する格納棚に登録された図面情報を抽出し、抽出された図面情報で特定される部品あるいは部品群の集合体を販売すべき補修部品と決定してサーバに設定登録するように構成したので、完成品（製品）を構成する部品群について販売の可否を簡易かつ適切に決定して補修部品としての設定処理を行うことができ、誤判断や誤設定が発生することがないと共に、作業効率も向上させることができる。よって完成品の機種の増加に伴って部品群が増加するときも、在庫の増加を招くことがない。
【００１６】
さらに、上記した効果に加え、整備の品質も向上させることができる。即ち、作成される部品図面は整備における品質維持に関わる生産性およびメンテナンス性を予め反映していることから、その部品図面と製作部門の品質管理によって製造される部品は、製造における品質が確保されていると共に、メンテナンス性も確保されているため、整備作業の品質を確保する前提となり得る。そうであれば、部品図面に表記される機能を正確に読み取ってその前提となり得る部品を選択して補修部品とするべきである。
【００１７】
このように、品質の原点が設計あるいは部品図面であるとみなすことによって、整備作業の品質の確保についての検討・判断の基準となる、共通した考え方を導入した補修部品の設定処理を提供することができ、完成品の整備作業における品質の確保と作業効率の向上を図り、もって機種が急増する現状に対応できると共に、経済的な損失も解消することができる。
【００１８】
請求項２に係る補修部品の設定処理システムにあっては、図面情報サーバにアクセスして所定の第２の記号に相当する格納棚に登録された図面情報を抽出すると共に、逆に、所定の第２の記号に相当する格納棚から抽出された図面情報で特定される部品あるいは部品群の集合体を販売すべき補修部品ではないと決定してサーバに設定登録する如く構成したので、同様に、完成品（製品）を構成する部品群について販売の可否を簡易かつ適切に決定して補修部品としての設定処理を行うことができ、誤判断や誤設定が発生することがないと共に、作業効率も向上させることができる。よって完成品の機種の増加に伴って部品群が増加するときも、在庫の増加を招くことがない。
【００１９】
請求項３に係る補修部品の設定処理システムにあっては、完成品を構成する部品についての物理的な機能面における序列が、それ自体で予定される機能を奏する部品あるいは部品群の集合体を上位とする一方、それ自体では予定する機能を奏しない部品あるいは部品群の集合体を下位とするものであると共に、所定の第１の記号が上位を示す記号であり、所定の第２の記号が下位を示す記号である如く構成したので、完成品（製品）を構成する部品群について販売の可否を一層簡易かつ適切に決定して補修部品として設定処理を行うことができる。さらに、結果として、それ自体で予定される機能を奏する部品あるいは部品群の集合体を販売すべき補修部品と決定すると共に、それ自体では予定する機能を奏しない部品あるいは部品群の集合体を販売すべき補修部品ではないと決定することになるため、上記した効果に加え、整備の品質も向上させることができる。
【００２０】
請求項４に係る補修部品の設定処理システムにあっては、所定の第１の記号に相当する格納棚から抽出された図面情報で特定される部品あるいは部品群の集合体が販売条件に該当するか否か判断し、肯定されるとき、販売すべき補修部品と決定して前記サーバに設定登録する如く構成したので、上記した効果に加え、補修部品の供給を合理的に行うことができると共に、末端のユーザの要請にも良く応えることができる。
【００２１】
請求項５に係る補修部品の設定処理システムにあっては、所定の第２の記号に相当する格納棚から抽出された図面情報で特定される部品あるいは部品群の集合体が販売条件に該当するか否か判断し、肯定されるとき、所定の第２の記号に相当する格納棚から抽出された部品あるいは部品群の集合体であっても、販売すべき補修部品と決定して前記サーバに設定登録する如く構成したので、請求項４と同様、上記した効果に加え、補修部品の供給を柔軟に行うことができ、末端のユーザの要請にも良く応えることができる。
【００２２】
尚、上記において、「部品あるいは部品の集合体」は、部品が、１個の部材で完成している場合、および複数個の部材から完成している場合の中のいずれも含む意味で使用する。
【発明を実施するための最良の形態】
【００２３】
以下、添付図面に即してこの発明に係る補修部品の設定処理システムを実施するための最良の形態について説明する。
【実施例１】
【００２４】
図１は、この発明の実施例に係る補修部品の設定処理システムを、整備のための部品供給も含めて示す概略図である。尚、この明細書で「補修部品の設定処理」とは、前記した如く、二輪および四輪自動車などの完成車（製品）を構成する部品群の中から、整備に供する補修部品を選択して販売品揃えすることを意味する。
【００２５】
図示の如く、このシステムはクライアント・サーバ・システムからなり、サーバとして図面情報サーバ１０を備える。図面情報サーバ１０には、図面情報端末機器１２，１４が接続される。また図面情報サーバ１０は、図面情報端末機器１６を介して部品管理情報サーバ２０にオンラインで接続される。部品管理情報サーバ２０は、さらに、オンラインを介して調達供給部門の部品管理情報端末機器２２、各仕向地の発注部門の部品管理情報端末機器２４などに接続される。
【００２６】
上記で、サーバ側の機器である図面情報サーバ１０と部品管理情報サーバ２０は比較的大型のコンピュータから構成されると共に、図面情報端末機器１２，１４などのクライアント側の端末機器は全て、それより小容量のマイクロコンピュータから構成される。
【００２７】
図２は、この実施例に係る補修部品の設定処理システムの動作、具体的には、図面情報をデータベース化して前記した図面情報サーバ１０に登録するまでの処理（前処理）を示すフロー・チャートである。
【００２８】
尚、図示のプログラムの前半は設計者によって行われる人為的な行為を示すと共に、その後半は、図１に示すシステムにおいてオペレータ（部品担当者など）による図面情報端末機器１２のキーボードなどを介しての入力に応じて図面情報端末機器１２で実行される処理を示す。
【００２９】
以下説明すると、Ｓ１０において、設計者は、新車発売される二輪および四輪自動車などの完成車を構成する全ての部品群の仕様および諸元を確立する。
【００３０】
ここで、図２のフロー・チャートの説明を続ける前に、図３と図４を参照し、この実施例に係る補修部品の設定処理システムが前提とする「機能保証の考え方」について説明する。
【００３１】
図３は、この実施例に係るシステムが前提とする機能保証の考え方を示す、完成車が奏すべき機能の目標設定と整備に供する補修部品との関係についての説明図である。
【００３２】
この実施例に係るシステムは機能保証の考え方を根底におくことから、図３を参照してその考え方を説明すると、「機能保証」とは、品質保証の本来的な指向としての完成車の開発・設計における保証体系の概念であり、整備における部品交換のメンテナンス性とその品質確保を考慮し、完成車の構成要素であるコンポーネントシステム（エンジンなど）の機能を実現し、さらにそのコンポーネントシステムの構成要素である機能部品の仕様、諸元を実現するように部品設計する考え方をいう。
【００３３】
完成車の奏すべき機能の目標が、顧客の長期使用においても維持し続けられるためには、生産工場とは異なる手作業で行なわれる整備で品質が保証されている部品が提供され、その上で、整備作業における品質が確保されることが前提となる。
【００３４】
この機能保証の考え方は、かかる前提のために、予め品質に関わる要素を部品設計に反映することを目標として、かかる部品図面と工場の品質管理によって生産され、品質が保証された部品を整備に提供すると共に、作業の手順や方法を案内する整備案内を予め用意すれば、この整備案内に基づいて、設備や機器と技能によって、整備作業における手作業の品質が確保され、使用過程にある完成車の機能維持の目標が達成される筈であるとの考え方であり、この実施例に係る補修部品の設定処理システムの前提とする考え方である。
【００３５】
上述する部品図面と工場の品質管理によって製造される部品は製造の際に品質が確保されていると共に、整備におけるメンテナンス性も部品図面によって確保されている。従って、その部品と、別途用意される完成車整備案内をもって確保すべき整備作業の品質目標が達成されることになる。
【００３６】
図４は、図３と同様に機能保証の考え方を示す、完成車機能の目標を達成するための具体的な部品設計についての説明図である。これについて説明すると、まず四輪自動車などの完成車をシステムとして捉え、例えばエンジンシステム、制動システム、室内空調システムなどのコンポーネントシステム（I，II，III，IV，V，・・）を構成要素とし、完成車システムの機能をこれに分担させ、かつ各種試験を経て、完成車システムに適合する、コンポーネントシステムの仕様・諸元が確立される。
【００３７】
このコンポーネントシステムは機能部品（Ａ，Ｂ，Ｃ，・・）を構成要素とし、各機能部品は、奏すべき機能において、このコンポーネントシステムに適合し、完成車システムに適合する。ここで、「適合する」とは、同一種類の部品交換においては、完成車への装着は常に互換性を有することを意味する。即ち、コンポーネントシステムVを例にすれば、構成要素である機能部品Ｂが仮に故障しても、交換される部品が機能部品Ｂである限り、コンポーネントシステムVは元の機能を回復して、完成車は目標の機能を奏するのである。
【００３８】
ここに「機能部品」とは、コンポーネントシステムの構成要素であり、一体化された状態で完成車の目標に適合して機能を奏する最小単位の部品を言う。ここで一体化された状態とは、単独あるいは複数の部品を物理的結合によって、形成される集合体の状態を意味する。この機能部品は同時に、交換単位として品質が保証されるように設計がなされる。
【００３９】
また「親部品」とは、上述する使用過程にある完成車の機能維持の前提となる品質に関わる要素を考慮して作成される部品図面の親とする部品であり、完成車空間に一体となって、独立して配置される部品である。例えば、機能部品Ａ,Ｂ,Ｃはその品質に関わる要素を考慮してそのまま親部品Ａ,Ｂ,Ｃが形成され、機能部品Ｄ，Ｙは品質に関わる要素を考慮して一体となって親部品Ｄが形成され、完成車空間に配置される。同時に、この親部品は、生産工場の品質管理によって製造されることを前提とする部品である。
【００４０】
また「構成部品」とは、部品群の集合体、即ち、一体化された部品を形成する部品群を意味する。例えば、図４に示す親部品Ａは子部品Ａ1,Ａ2によって一体化された部品であり、この子部品Ａ1,Ａ2は親部品Ａの構成部品となる。子部品Ａ2は孫部品Ａ21,Ａ22によって一体化された部品であり、この孫部品Ａ21,Ａ22は子部品Ａ2の構成部品となる。一方で子部品Ａ1は一体化された部品ではないことによって、構成部品が存在しないことを意味する。
【００４１】
このような一体化された部品とこれに供される各構成部品との間には機能面において、各構成部品の持つ機能は一体化された部品に供されて奏する機能であり、構成部品に比べ、一体化された部品が、より大きな機能を奏する。即ち、奏すべき機能に序列（換言すれば物理的な機能面における序列）が存在することになる。例えば、前述の子部品Ａ1,Ａ2の持つ機能は親部品Ａの機能を上位とすれば、下位の機能であることになる。
【００４２】
図４に示す「構成レベル」とは、一体化された部品が奏する機能を上位とし、これに供される構成部品を下位と定めて機能を序列化する単位のことであり、同時に部品の製造における一体化される順序を意味している。構成レベルＬｎを単位にすれば、親部品は最上位に位置し、子部品は親部品より一つ下位に、孫部品は子部品より一つ下位に位置することになる。この構成レベルを記号Ｌｎ（ｎ：１，２，３，．．）で記号化した構成レベル記号が、前記した物理的な機能面における序列を示す記号群に相当する。
【００４３】
尚、構成部品によって、一体化が形成される態様、即ち、物理的な一体化の態様には締結と結合があり、前者は組み付け、締め付けであり、後者は圧入、接着、溶接、鋳込み、カシメである。
【００４４】
また図４で「消耗部品」とは、完成車の機能の一つである耐久性において、永年、長期、短期に仕訳した目標を各部品に反映する場合に、使用過程において劣化するのが比較的早期となることによって、あるいは法令によって短期に交換される機能部品を意味する。例えば、親部品Ｄの構成部品、即ち、子部品Ｄ1,Ｄ2,Ｙがあり、このうち子部品Ｙが消耗部品であり、機能部品Ｙである。
【００４５】
また「補修部品」とは、使用過程にある完成車の機能維持を目的とする、整備において必要とする交換用部品を意味する。「補修部品の設定処理」とは、改めて定義すると、将来において発生する完成車の整備に備え、あるいは整備実態を反映し、完成車を構成する部品群の中から整備に供する「補修部品」を選択し、販売品揃えをすることである。
【００４６】
この実施例に係る補修部品の設定処理システムの特徴は、上述する機能部品を選択して販売品揃えをすることにあり、具体的には、構成レベルにおいて最上位に該当する親部品と、親部品より下位に該当する構成部品の中の消耗部品とを補修部品と決定することによって、品質が保証された部品あるいは部品郡の集合体を整備に提供することを可能にすることである。
【００４７】
以上を前提として、図２の説明に戻ると、Ｓ１０において上記したように部品の仕様・諸元を確立した後に、Ｓ１２以降に進み、設計者は、親部品の図面を作成する。
【００４８】
次いでＳ１４に進み、当該親部品を構成する子部品があるか否が判断し、肯定されるときはＳ１６に進み、親部品の図面中に構成する子部品を記載、即ち、その部品番号と名称および一体化される状態の条件を記載する。次いでＳ１８に進み、設計者は、その親部品の図面とは別に、子部品の図面を作成する。
【００４９】
次いでＳ２０に進み、当該子部品を構成する孫部品があるか否か判断し、肯定されるときはＳ２２に進み、子部品の図面中に構成する孫部品を記載、即ち、その部品番号と名称および一体化される状態の条件を記載する。次いでＳ２４に進み、子部品の図面とは別に、孫部品の図面を作成する。
【００５０】
このようにして、設計者によって当該親部品は、それ以上細分できない単一の部品に至るまで構成部品の部品図面が全て作成され、親部品の図面の作成が完了する。
【００５１】
尚、Ｓ１４，Ｓ２０で否定されたときはＳ２４までの処理をスキップする。
【００５２】
次いで、Ｓ２６において、設計者は、作成が完了した親部品と構成部品の各部品図面が添付された図面発行通知書を発行し、各部品図面をデータベースに登録する担当部門に通達する。「図面発行通知書」は仕様・諸元の通達のために発行するもので、同一機種で複数回に分けて発行する場合がある。
【００５３】
データベースに登録する担当部門において、担当者は図面発行通知書の通達を受け、図１に示す図面情報端末機器１２のキーボードなどの入力機器を介し、図面情報サーバ１０に発行ＮＯごとに用意される図面発行通知書に、より正確には図面発行通知書の登録欄に、その発行ＮＯ（およびその他の図面発行通知に関する情報）と、図面作成が完了した親部品と構成部品のそれぞれについて添付された部品図面の部品欄に記載される図面情報、具体的には部品番号、部品名、材料、注意事項（製作などの）などの情報を入力する。
【００５４】
親部品と構成部品のそれぞれは、図面発行通知書の発行ＮＯおよび添付された部品図面の部品欄に記載される情報、特に発行ＮＯおよび部品番号によって特定されることから、これら図面発行通知書の発行ＮＯ（および処理欄、販売区分欄の表示）および添付された部品図面の部品欄に記載される情報が、前記した図面情報に相当する。
【００５５】
また、図面情報サーバ１０の図面発行通知書の登録欄には前記した構成レベルを記号化してなる構成レベル記号Ｌn（前記した物理的な機能面における序列を示す記号群）ごとに設けられた格納棚が用意され、担当者は、Ｓ２８以降で詳説するように、図面情報で特定される部品あるいは部品群の集合体のそれぞれについて構成レベル記号Ｌnの中から該当する構成レベル記号（記号）を選択し、その図面情報と共に選択した構成レベル記号を、図面情報端末機器１２のキーボードなどの入力機器を介して入力する。
【００５６】
図面情報端末機器１２にあってＣＰＵは、ＲＯＭに格納されている命令に従い、図面情報と選択された構成レベル記号が担当者（オペレータ）によって入力されたとき、図面情報サーバ１０において図面発行通知書の登録欄の構成レベル記号群ごとに設けられた格納棚の中、選択された記号に相当する格納棚に、入力された図面情報を登録（格納）する。
【００５７】
具体的には、Ｓ２８において担当者は、部品図面の部品欄に記載される部品群のうち、構成レベルにおいて最上位に該当する親部品には構成レベル記号Ｌ１を選択してその部品番号などの図面情報と共に入力し、それによって図面情報端末機器１２のＣＰＵは、図面情報サーバ１０の図面発行通知書の登録欄において構成レベル記号群ごとに設けられた格納棚の中、構成レベル記号Ｌ１に相当する格納棚に入力された図面情報を登録（格納）する。
【００５８】
また、Ｓ３０において担当者は、部品図面の部品欄に記載される部品群のうち、構成レベルにおいて親部品より一つ下位に該当する子部品には構成レベル記号Ｌ２を選択してその部品番号などの図面情報と共に入力し、それによって図面情報端末機器１２のＣＰＵは、図面情報サーバ１０の図面発行通知書の登録欄において構成レベル記号群ごとに設けられた格納棚の中、構成レベル記号Ｌ２に相当する格納棚に入力された図面情報を登録（格納）する。
【００５９】
また、Ｓ３２においては担当者は、部品図面の部品欄に記載される部品群のうち、構成レベルにおいて子部品より一つ下位に該当する孫部品には構成レベル記号Ｌ３を選択してその部品番号などの図面情報と共に入力し、それによって図面情報端末機器１２のＣＰＵは、図面情報サーバ１０の図面発行通知書の登録欄において構成レベル記号群ごとに設けられた格納棚の中、構成レベル記号Ｌ３に相当する格納棚に入力された図面情報を登録（格納）する。
【００６０】
同様にして構成レベルにおいてさらに下位に該当する構成部品がある場合、担当者は、構成レベル記号Ｌｎのうち、その下位に該当する記号を選択し、よって図面情報サーバ１０においての図面発行通知書の登録欄構成レベル記号群ごとに設けられた格納棚の中、その記号に相当する格納棚に入力された図面情報を登録（格納）する。
【００６１】
尚、図面情報サーバ１０の図面発行通知書の登録欄には、補修部品の設定処理が完了したか否かの区別（および日時）が自動的に記録される処理欄が用意される。具体的には、それと共に、販売区分欄（後述）も用意され、そこに販売記号あるいは非販売記号が付与されていないとき、即ち、補修部品の設定が未処理のとき、処理欄は空欄のままとされると共に、処理ずみのときは処理の完了日時が入力される。
【００６２】
このように、この実施例に係る処理システムにおいて特徴的なことは、親部品を構成する子部品や孫部品を全て検索自在とする上述した補修部品の設定処理を前提にして、構成レベルの最上位に該当する親部品と、親部品より下位に該当する構成部品のうちから消耗部品とを選択する論理が、図面情報サーバ１０で構成レベルを記号化した構成レベル記号Ｌ１に相当する格納棚に登録される図面情報で特定される親部品と、構成レベル記号Ｌ２に相当する格納棚に登録される図面情報で特定される部品の中から消耗部品に該当する部品とを選択する論理に置き換えられて後述する処理システムを構成していることである。
【００６３】
図５は、図２の処理に続いて行われる、この実施例に係る補修部品の設定処理システムの動作を示すフロー・チャートである。図示のプログラムは、図面情報サーバ１０に接続される図面情報端末機器１４において、そのＣＰＵが、ＲＯＭに格納されている命令に従って実行する処理を示す。
【００６４】
以下、図５を参照して説明すると、先ずＳ１００において図面情報サーバ１０にアクセスし、前記した処理欄が空白のまま、即ち、補修部品の設定処理が未完了の図面発行通知書の発行ＮＯを取り込む（読み込む）。これは既に補修部品の設定処理の完了した発行ＮＯが重複して抽出されるのを防止し、システムの処理負担を低減するためである。
【００６５】
次いでＳ１０２に進み、前記した販売区分欄が空欄であるか否かを判断し、否定されるときは設定処理が同様に不要であることから以降の処理をスキップすると共に、肯定されるときはＳ１０４に進む。
【００６６】
Ｓ１０４では構成レベル記号Ｌ1（前記した所定の第１の記号）に相当する格納棚に登録される図面情報を抽出し、Ｓ１０６に進み、抽出された図面情報（具体的にはその中の部品番号）で特定される部品あるいは部品の集合体が販売条件に該当するか否か判断する。
【００６７】
この処理は具体的には、図６に示すような部品設定の例外条件登録として予め登録される部品あるいは部品群の集合体を、抽出した図面情報（具体的にはその中の部品番号（ＮＯ））で参照（検索）あるいは照合することで行なわれる。より具体的には、部品番号は一般に多数桁からなり、完成車機種、上述したコンポーネントシステム、あるいは親部品の型式によって相違すると共に、さらには親部品と構成部品の相関が各々識別できるように構成されていて冗長かつ複雑であることから、例外条件登録では、図示の如く、部品番号の一部の桁に識別番号が登録されており、Ｓ１０６の処理ではそれを照合することで判断する。
【００６８】
図６に示す登録は例外条件登録であって非販売を示すことから、参照（照合あるいは検索）した結果、該当の部品ＮＯが発見されないとき、Ｓ１０６の判断は肯定されて１０８に進み、抽出した図面情報で特定される部品あるいは部品群の集合体を販売すべき補修部品と決定して図面発行通知書の登録欄の中の販売区分欄に販売記号Ｓを付与する。他方、Ｓ１０６で否定される、即ち、図６に示す部品設定の例外条件登録の中に該当の部品ＮＯが発見されたときは抽出した図面情報で特定される部品あるいは部品群の集合体を販売すべき補修部品ではないと決定し、Ｓ１１０に進み、登録欄の中の販売区分欄に非販売記号Ｎを付与する。
【００６９】
次いでＳ１１２に進み、構成レベル記号Ｌ２以下（前記した所定の第２の記号。具体的にはＬ２，Ｌ３，Ｌ４，・・）に相当する格納棚に登録される図面情報があるか否か判断し、肯定されるときはＳ１１４に進んでそれを抽出し、Ｓ１１６に進み、抽出された図面情報（具体的にはその中の部品番号）で特定される部品あるいは部品の集合体が販売条件に該当するか否か判断する。
【００７０】
この処理は具体的には、図７に示す部品設定の例外条件登録として予め登録される部品あるいは部品群の集合体を、抽出した図面情報（具体的にはその中の部品番号（ＮＯ））で、より具体的にはその一部の識別番号で参照（検索）することで行なわれる。図７に示す登録は例外条件登録であって販売を示すことから、参照（検索あるいは照合）した結果、該当の部品ＮＯが発見されるとき、Ｓ１１６の判断は肯定されてＳ１１８に進み、抽出した図面情報で特定される部品あるいは部品群の集合体を販売すべき補修部品と決定して登録欄の中の販売区分欄に販売記号Ｓを付与する。
【００７１】
他方、Ｓ１１６で否定される、即ち、図６に示す部品設定の例外条件登録の中に該当の部品ＮＯが発見されないときは抽出した図面情報で特定される部品あるいは部品群の集合体をやはり販売すべき補修部品ではないと決定し、Ｓ１２０に進み、登録欄の中の販売区分欄に非販売記号Ｎを付与する。
【００７２】
次いでＳ１２２に進み、図面情報サーバ１０において図面発行通知書の処理欄にその処理結果を登録、即ち、販売記号あるいは非販売記号を付与した日時を登録する。これにより、その部品あるいは部品群の集合体について補修部品としての設定登録が終了する。尚、Ｓ１１２で否定されるときは、Ｓ１２２にジャンプする。
【００７３】
次いで、新たな未処理の図面発行通知書の発行ＮＯが取り込まれて同様の処理が繰り返される。
【００７４】
上記で特徴的なことは、図面情報サーバ１０の構成レベル記号Ｌ１に相当する格納棚に登録される図面情報で特定される部品あるいは部品群の集合体には販売が、構成レベル記号Ｌ２以下に相当する格納棚に登録される図面情報で特定される部品あるいは部品群の集合体には非販売がそれぞれ予定されていることである。
【００７５】
それについて説明すると、構成レベル記号Ｌ１に相当する格納棚に登録される図面情報で特定される部品あるいは部品群の集合体は、上述した親部品であり、機能部品であるからである。
【００７６】
即ち、親部品は一体化された状態において完成車が目標とする機能に適合していて、奏する機能が構成レベルにおいて最上位の部品、言い換えれば、品質が保証され、かつ交換部品を更に分解して再生する作業を不要とする交換単位の部品であるからである。
【００７７】
このことは、逆に構成レベル記号Ｌ２以下に相当する格納棚に登録される図面情報で特定される部品あるいは部品群の集合体を非販売と予定することの理由と言える。即ち、それらは、消耗部品を除けば機能部品には該当せず、構成レベル記号Ｌ１に相当する格納棚に登録される図面情報で特定される部品あるいは部品群の一体化に供されて始めて機能を奏するからである。
【００７８】
例えば、図４に示す構成レベル記号Ｌ１に（相当する格納棚に）登録される親部品Ａが、構成レベルＬ２に（相当する格納棚に）登録される子部品Ａ1の圧入によって一体化されると仮定すると、そこの子部品Ａ1を圧入前の状態で販売して整備に供すると、整備において完成車から取り外した従前の親部品Ａを分解し、この子部品Ａ1を圧入して再生した親部品Ａは、工場の品質管理によって製造されて品質が保証された従前の親部品Ａとは異なる手作業によることから、同一の品質を期待することは困難である。
【００７９】
また、補修部品として必要な品質に関わる要素を考慮して設計する考え方においても、かかる親部品Ａを分解して再度圧入して、再生する作業までは考慮されていないことから、かかる再生する作業を整備に取り入れて、手作業において発生する誤作業と、これらに起因して引き起こされる不測の事態の発生を回避するべき品質が確保されるための作業手順や方法を案内する特別な整備案内や、特別な設備や技能を、多種類の部品種類の全てにわたって予め用意することは、現実的ではないからである。
【００８０】
さらに特徴的なことは、構成レベル記号Ｌ１およびＬ２以下に相当する格納棚に登録される図面情報で特定される部品あるいは部品群の集合体が、Ｓ１０６およびＳ１１６の判断において予め図６，７の例外条件として登録された部品あるいは部品群の集合体に照合され、販売条件に該当するか、即ち、販売品揃えをする条件に該当するか否かが判断され、肯定されることによって補修部品と決定されることである。
【００８１】
尚、構成レベル記号Ｌ１に対して図６に示す例外条件に予め登録される部品あるいは部品の集合体は、この補修部品の設定処理システムにおいて販売品揃えをするべき親部品には該当しないもの、即ち、仕様・諸元内容が記載された図面が存在しない部品あるいは部品群の集合体、現物実態のない図面に係る部品あるいは部品群の集合体、あるいは現物実態があっても販売品揃えをすることが契約、法規、法令により規制される部品あるいは部品群の集合体のことである。これらに一致しない限り、補修部品と決定され、販売品揃えをする部品あるいは部品群の集合体と判断される。
【００８２】
他方、構成レベル記号Ｌ２以下に対して図７に示す例外条件に予め登録する部品あるいは部品群の集合体は、この補修部品の設定処理システムにおいて販売品揃えをするべき「機能部品」であり、具体的には親部品を構成する消耗部品である。非販売を予定している構成部品の中からこの機能部品を販売するのは、販売することに合理性があるからであると共に、末端のユーザの要請にも良く応えることができるからである。
【００８３】
例えば、図４に示す親部品Ｄの構成部品である機能部品Ｙが消耗部品である。親部品Ｄだけを販売して整備に提供すれば、構成部品である消耗部品Ｙも同時に交換されるが、前述したように消耗部品Ｙは比較的短期間のうちに、その劣化する程度に応じて交換されることが想定されているから、逆に消耗部品Ｙの交換時期に併せて親部品Ｄを交換するのは、消耗部品Ｙを除いた、未だ劣化していない使用可能な親部品Ｄの残余部分を廃棄することになり、その経済的な損失を招き、合理的ではなく、さらには末端のユーザの要請にも反するからである。かかる部品に一致する限り、補修部品と決定され、販売品揃えをする部品あるいは部品群の集合体と判断される。
【００８４】
図１を参照して設定登録された補修部品についてその後の流れを説明すると、図面情報サーバ１０のオンラインに接続される部品管理部門の図面情報端末機器１６を介して図面情報サーバ１０に登録される部品の中から販売記号Ｓが付与された部品あるいは部品群の集合体のみが自動的に補修部品として取り込まれ、部品管理情報サーバ２０に登録される。部品管理情報サーバ２０はオンラインを通じて調達供給部門、国内外の各仕向地発注部門に配置された部品管理情報端末機器２２、２４に接続され、それら部門の担当者の操作によって、国内／外の市場において発注される補修部品を調達して発注部門に供給される。
【００８５】
新車発売された完成車は以後使用過程にある完成車としてその機能維持に必要な整備に、上記の如くして補修部品として設定されて販売品揃えをした補修部品が供給される。
【００８６】
この実施の形態は上記の如く、クライアント・サーバ・システムからなり、完成品を構成する部品群について販売の可否を決定して補修部品として設定する補修部品の設定処理システム（図面情報サーバ１０、図面情報端末機器１２，１４）において、前記完成品を構成する部品群のそれぞれについて、部品あるいは部品群の集合体ごとに図面が作成されて物理的な機能面における序列を示す記号群の中から該当する記号が選択された後、前記部品あるいは部品群の集合体を特定する図面情報と前記選択された記号（構成レベル記号Ｌｎ）がオペレータによって入力されたとき（Ｓ１０からＳ３２）、図面情報サーバ１０において前記記号群ごとに設けられた格納棚の中、前記選択された記号に相当する格納棚に前記図面情報（図面発行通知書の発行ＮＯ、図面の部品欄の記載、特に部品番号など）を登録する図面情報登録手段（図面情報端末機器１２，Ｓ２８からＳ３２）、前記図面情報サーバにアクセスして前記記号群ごとに設けられた格納棚の中、所定の第１の記号（構成レベル記号Ｌ１）に相当する格納棚に登録された前記図面情報を抽出する図面情報抽出手段（図面情報端末機器１４，Ｓ１００からＳ１０４）および前記所定の第１の記号に相当する格納棚から抽出された図面情報で特定される部品あるいは部品群の集合体を販売すべき補修部品と決定して前記サーバに設定登録する補修部品設定登録手段（Ｓ１０６からＳ１１０，Ｓ１１２）を備える如く構成した。
【００８７】
また、前記図面情報抽出手段は前記図面情報サーバにアクセスして前記記号群ごとに設けられた格納棚の中、所定の第２の記号（構成レベル記号Ｌ２以下、具体的にはＬ２，Ｌ３など）に相当する格納棚に登録された前記図面情報を抽出すると共に（図面情報端末機器１４，Ｓ１１２，Ｓ１１４）、前記補修部品設定登録手段は前記所定の第２の記号に相当する格納棚から抽出された図面情報で特定される部品あるいは部品群の集合体を販売すべき補修部品ではないと決定して前記サーバに設定登録する（Ｓ１１６からＳ１２２）如く構成した。
【００８８】
また、前記完成品を構成する部品についての物理的な機能面における序列が、それ自体で予定される機能を奏する部品あるいは部品群の集合体を上位とする一方、それ自体では予定する機能を奏しない部品あるいは部品群の集合体を下位とするものであると共に、前記所定の第１の記号（構成レベル記号Ｌ１）が前記上位を示す記号であり、前記所定の第２の記号（構成レベル記号Ｌ２以下）が前記下位を示す記号である如く構成した。
【００８９】
また、前記補修部品設定登録手段は、前記所定の第１の記号に相当する格納棚から抽出された図面情報で特定される部品あるいは部品群の集合体が販売条件に該当するか否か判断し（Ｓ１０６）、肯定されるとき、前記所定の第１の記号に相当する格納棚から抽出された図面情報で特定される部品あるいは部品群の集合体を販売すべき補修部品と決定して前記サーバに設定登録する（Ｓ１０８，Ｓ１２２）如く構成した。
【００９０】
また、前記補修部品設定登録手段は、前記所定の第２の記号に相当する格納棚から抽出された図面情報で特定される部品あるいは部品群の集合体が販売条件に該当するか否か判断し（Ｓ１１６）、肯定されるとき、前記所定の第２の記号に相当する格納棚から抽出された部品あるいは部品群の集合体であっても、販売すべき補修部品と決定して前記サーバに設定登録する（Ｓ１１８，Ｓ１２２）如く構成した。
【００９１】
これにより、自動車などの完成品を構成する部品群について販売の可否を簡易かつ適切に決定して補修部品としての設定処理を行うことができ、誤判断や誤設定が発生することがないと共に、作業効率も向上させることができる。
【００９２】
即ち、部品図面に記載される部品群の中から機能部品が選択される、完成車機種に共通する論理の構成が、データベースにおいて、機能の序列を示す記号群の中から上位に該当する記号に相当する格納棚から抽出された図面情報で特定される部品あるいは部品群の集合体が選択され、販売条件によって判断され、肯定される部品をもって補修部品と決定される論理に置き換えるようにコンピュータによる処理システムを提供することによって、従来技術の補修部品の設定に処理作業が手作業であることによって発生する誤判断や誤設定あるいは未処理、およびそれらに対する新らたな処置による作業時間のロスが根本的に解消され、しかも新規で大量の部品数を比較的短期に処理することが可能になり、処理作業全体の効率を向上させることができる。
【００９３】
よって完成品の機種の増加に伴って部品群が増加するときも、在庫の増加を招くことがない。よって完成品の機種の増加に伴って部品群が増加するときも、在庫の増加を招くことがない。さらに、整備の品質も向上させることができる。
【００９４】
さらに、この実施例に係る補修部品の設定処理システムは、波及的な効果として以下のような効果を得ることができる。即ち、販売または非販売を決定してデータベースに登録して処理する作業と併せ、少容量のパーソナルコンピュータ（図面情報端末機器１２，１４）によって前記した検討、判断、決定、処理に至る全ての作業を自動化することが可能となり、判断作業の一部を除くと、作業そのものを不要とすることができると共に、データベースのネットワーク化によって補修部品に関するタイムラグをなくすことができ、さらに作業精度を向上させることができる。
【００９５】
また、図面に表記される、部品の機能と品質を根源とする機能保証のか考え方を前提にしたことで、例外的に販売する部品を消耗部品などとしたことで、品揃えする部品種類は、それ以外の部品を品揃えするまでもなく、必要最小限となり、かつ整備に十分な部品種類を品揃えすることができることになる。即ち、前記した機能保証の考え方に基づいた部品図面に裏打ちされる機能効果と品質が矛盾することなく発揮できることから、それ以外の部品を品揃えする必要は生じない。
【００９６】
更に、この実施例に係るシステムにおいては、機能部品を選択して販売品揃えをするようにしたことによって、品質が保証される交換単位の補修部品を整備に提供することができる他、整備作業において提供される補修部品を更に分解して再生する作業を不要とし、一層の品質確保につながる効果を有する。
【００９７】
尚、上記において、製品の例として二輪及び四輪自動車を挙げたが、これに限られることなく、補修部品を提供して整備によって使用過程の完成品の機能を維持するものならば、どのような完成品にも妥当することである。
【図面の簡単な説明】
【００９８】
【図１】この発明の実施例に係る補修部品の設定処理システムを、設定後の処理も含め、全体的に示す概略図である。
【図２】図１に示すシステムの動作の中の前処理を示すフロー・チャートである。
【図３】図１に示すシステムが前提とする機能保証の考え方を示す、完成車が奏すべき機能の目標の設定と、整備に供する補修部品との関係についての説明図である。
【図４】図３と同様に図１に示すシステムが前提とする機能保証の考え方を示す、完成車が奏すべき機能の目標を達成するための具体的な部品設計についての説明図である。
【図５】図１に示すシステムの動作の中の、図２の前処理に続いて行われる処理を示すフロー・チャートである。
【図６】図５フロー・チャートの処理で使用する、部品設定の例外条件登録を示す説明図である。
【図７】同様に、図５フロー・チャートの処理で使用する、部品設定の例外条件登録を示す説明図である。
【符号の説明】
【００９９】
１０    図面情報サーバ
１２，１４，１６  図面情報端末機器
２０    部品管理情報サーバ
２２，２４  部品管理情報端末機器
【図１】
2005084801.tif 000003
【図２】
2005084801.tif 000004
【図３】
2005084801.tif 000005
【図４】
2005084801.tif 000006
【図５】
2005084801.tif 000007
【図６】
2005084801.tif 000008
【図７】
2005084801.tif 000009